(57)【要約】【課題】  情報保存装置用ディスククランピング装置を提供する。【解決手段】  少なくとも一枚のディスクをスピンドルモーターに固定させるための装置であって，スピンドルモーターと結合され，その外周部がディスクの上面に接触されて，ディスクを垂直方向に加圧するクランプと，クランプとスピンドルモーターとの間に配置されて，クランプを介してディスクに伝達される衝撃及び振動を緩和させるダンパーと，を備えるディスククランピング装置である。ダンパーは，粘弾性物質からなり得，クランプの底面とハブの上面のうち，少なくとも一面に接着されうる。そのような構成によれば，クランプを介してディスクに伝達される衝撃及び振動がダンパーにより緩和され，ディスクの振動によるディスクとヘッドとの衝突，及びヘッドの性能の低下が防止される。【選択図】図４
2005235385.tif 000002
【特許請求の範囲】
【請求項１】
少なくとも一枚のディスクをスピンドルモーターに固定させるための情報保存装置用ディスククランピング装置において：
前記スピンドルモーターと結合され，その外周部が前記ディスクの上面に接触されて，前記ディスクを垂直方向に加圧するクランプと；
前記クランプと前記スピンドルモーターとの間に配置されて，前記クランプを介して前記ディスクに伝達される衝撃及び振動を緩和させるダンパーと；
を備えることを特徴とする，情報保存装置用ディスククランピング装置。
【請求項２】
前記ダンパーは，前記クランプの底面と，前記スピンドルモーターのハブの上面との間に設置されることを特徴とする，請求項１に記載の情報保存装置用ディスククランピング装置。
【請求項３】
前記ダンパーは，前記クランプの底面と前記ハブの上面のうち，少なくとも一面に接着されることを特徴とする，請求項１又は２に記載の情報保存装置用ディスククランピング装置。
【請求項４】
前記スピンドルモーターのシャフトの中心部にスクリュー締結ホールが形成され，前記クランプの中心部にはスクリュー挿入ホールが形成され，前記クランプは，前記スクリュー締結ホールに締結されるスクリューにより前記シャフトに固定されることを特徴とする，請求項１〜３のいずれかに記載の情報保存装置用ディスククランピング装置。
【請求項５】
前記ダンパーは，リング状であることを特徴とする，請求項１〜４にいずれかに記載の情報保存装置用ディスククランピング装置。
【請求項６】
前記スピンドルモーターのハブの上面には，円周方向に沿って等間隔に配置された複数のスクリュー締結ホールが形成され，前記クランプには，前記複数のスクリュー締結ホールに対応する複数のスクリュー挿入ホールが形成され，前記クランプは，前記複数のスクリュー締結ホールに締結される複数のスクリューにより，前記ハブに固定されることを特徴とする，請求項１に記載の情報保存装置用ディスククランピング装置。
【請求項７】
前記ダンパーは，リング状であり，前記複数のスクリューに干渉されない位置に配置されることを特徴とする，請求項６に記載の情報保存装置用ディスククランピング装置。
【請求項８】
前記ダンパーは，リング状であり，前記複数のスクリュー締結ホールが形成された位置に配置され，前記ダンパーには，前記複数のスクリュー締結ホールに対応する位置に，前記複数のスクリューが挿入される垂直貫通ホールが形成されることを特徴とする，請求項６に記載の情報保存装置用ディスククランピング装置。
【請求項９】
前記ダンパーは，複数に分離されて，前記複数のスクリュー締結ホールのそれぞれの間に配置されることを特徴とする，請求項６に記載の情報保存装置用ディスククランピング装置。
【請求項１０】
前記ダンパーは，粘弾性物質からなることを特徴とする，請求項１〜９のいずれかに記載の情報保存装置用ディスククランピング装置。
【発明の詳細な説明】
【技術分野】
【０００１】
本発明は，情報保存装置に係り，更に詳細には，データ保存用ディスクをスピンドルモーターに固定させる情報保存装置用ディスククランピング装置に関する。
【背景技術】
【０００２】
ＨＤＤ（Ｈａｒｄ  Ｄｉｓｋ  Ｄｒｉｖｅ：以下，ＨＤＤ）及び光ディスクドライブ（Ｏｐｔｉｃａｌ  Ｄｉｓｋ  Ｄｒｉｖｅ：以下，ＯＤＤ）のようなコンピュータの情報保存装置は，スピンドルモーターに装着されて回転するディスクに／からデータを記録／再生する装置である。
【０００３】
図１には，従来のＨＤＤの概略的な構造が示されている。
【０００４】
図１を参照すれば，ＨＤＤのベース部材１１には，データ保存のための記録媒体のディスク２０を回転させるためのスピンドルモーター３０と，データの再生及び記録のための読み取り／書き込みヘッドを，ディスク２０上の所望の位置に移動させるアクチュエータ４０が設置される。
【０００５】
上記スピンドルモーター３０には，図１に示すように，二枚のディスク２０が装着されることもあり，一枚または三枚以上のディスクが装着されることもある。上記スピンドルモーター３０に複数のディスク２０が装着される場合には，そのディスク２０の間隔を保持するためのリング状のスペーサ５０がディスク２０の間に挟まれる。そして，スピンドルモーター３０の上端部には，ディスク２０をスピンドルモーター３０にかたく固定させるためのクランプ６０が，スクリュー７０により締結される。
【０００６】
上記アクチュエータ４０は，ベース部材１１に設置されたピボット４１に回転可能に結合されたスイングアーム４２と，スイングアーム４２の一側端部に設置されて，上記ヘッドが搭載されたスライダーを，ディスク２０の表面側に付勢されるように支持するサスペンション４３と，スイングアーム４２を回転させるためのボイスコイルモーター（Ｖｏｉｃｅ  Ｃｏｉｌ  Ｍｏｔｏｒ：以下，ＶＣＭ）４５を有する。ＶＣＭ４５は，サーボ制御システムにより制御され，ＶＣＭコイルに入力される電流とマグネットにより形成された磁場との相互作用により，フレミングの左手法則による方向にスイングアーム４２を回転させる。すなわち，ディスクドライブの電源がオンになって，ディスク２０が回転し始めると，ＶＣＭ４５は，スイングアーム４２を逆時計回り方向に回転させて，上記ヘッドをディスク２０の記録面上に移動させる。逆に，ディスクドライブの電源がオフになって，ディスク２０の回転が停止すれば，ＶＣＭ４５は，スイングアーム４２を時計回り方向に回転させて，ヘッドがディスク２０の記録面を外れるようにする。その時，ディスク２０の記録面を外れたヘッドは，ディスク２０の外側に設けられたランプ４６にパーキングされる。
【０００７】
そして，上記ベース部材１１の上部には，カバー部材１２が複数のスクリュー１９を使用して結合される。そのように，互いに結合されたベース部材１１とカバー部材１２は，ディスク２０，スピンドルモーター３０及びアクチュエータ４０などを取り囲んで保護する役割を行う。
【０００８】
以下では，図２及び図３を参照して，上記スピンドルモーター３０，ディスク２０，およびクランプ６０が組合された結合構造を更に詳細に説明する。
【０００９】
図２は，図１に示す従来のＨＤＤのクランプ部を拡大して示した斜視図であり，図３は，図２に示す従来のクランプとスピンドルモーターとが結合した状態を示す断面図である。
【００１０】
図２と図３を参照すると，スピンドルモーター３０は，シャフト３１と，シャフト３１の外周と結合して回転するハブ３４とを備えており，そのハブ３４に前記ディスク２０が装着する。上述したように，スピンドルモーター３０に複数のディスク２０が装着される場合には，ディスク２０の間隔を保持するためのリング状のスペーサ５０がハブ３４の外周に挟まれる。そして，ディスク２０を固定させるためのクランプ６０を，スピンドルモーター３０の上端部に装着できるように，前記クランプ６０の中心部には，スクリュー７０が挿入されるスクリュー挿入ホール６２が形成されており，前記シャフト３１の中心部には，前記スクリュー７０が締結されるスクリュー締結ホール３２が形成されている。前記スクリュー７０を，スピンドルモーター３０のシャフト３１に形成されたスクリュー締結ホール３２に締結すれば，その締結力により，前記クランプ６０の外周部６４がディスク２０の上面を垂直方向に加圧し，それにより，ディスク２０がスピンドルモーター３０のハブ３４にかたく固定される。
【００１１】
そのような構成を有するＨＤＤにおいて，データの記録及び再生は，高速回転するディスク２０上に非常に狭い間隔を保持したまま浮上する読み取り／書き込みヘッドにより行われる。
【００１２】
【特許文献１】特開平１０−１７２２５８号公報
【発明の開示】
【発明が解決しようとする課題】
【００１３】
しかしながら，ＨＤＤに対して外部から衝撃が加えられた場合，その衝撃は，ベース部材１１，スピンドルモーター３０のシャフト３１，スクリュー７０及びクランプ６０を介してディスク２０に伝達される。そして，スピンドルモーター３０の回転による振動も，シャフト３１，スクリュー７０，及びクランプ６０を介してディスク２０に伝達される。上記のようにディスク２０に伝達された衝撃や振動は，ディスク２０の振動を引き起こし，それにより，ディスク２０の表面とヘッドとが衝突して，ディスク２０の表面とヘッドとが損傷されるという問題点が発生する。また，ディスク２０の振動は，上記ヘッドの読み取り／書き込み性能を低下させるという問題があった。
【００１４】
本発明は，上記問題点に鑑みてなされたものであり，本発明の目的は，ディスクに伝達される衝撃及び振動の緩和が可能な，新規かつ改良された情報保存装置用ディスククランピング装置を提供することである。
【課題を解決するための手段】
【００１５】
上記課題を解決するため，本発明の第１の観点によれば，少なくとも一つのディスクをスピンドルモーターに固定させるための情報保存装置用ディスククランピング装置が提供される。上記情報保存装置用ディスククランピング装置は，前記スピンドルモーターと結合され，その外周部が前記ディスクの上面に接触されて，前記ディスクを垂直方向に加圧するクランプと，前記クランプと前記スピンドルモーターとの間に配置されて，前記クランプを介して前記ディスクに伝達される衝撃及び振動を緩和させるダンパーと，を備えることを特徴とする情報保存装置用ディスククランピング装置を提供する。
【００１６】
ここで，上記ダンパーは，クランプの底面とスピンドルモーターのハブの上面との間に設置されうる。
【００１７】
そして，ダンパーは，粘弾性物質からなり得，前記クランプの底面と前記ハブの上面のうち，少なくとも一面に接着されうる。
【００１８】
本発明の一特徴によれば，前記スピンドルモーターのシャフトの中心部にスクリュー締結ホールが形成され，前記クランプの中心部にはスクリュー挿入ホールが形成され，前記クランプは，前記スクリュー締結ホールに締結されるスクリューにより，前記シャフトに固定される。
【００１９】
その場合，前記ダンパーは，リング状であることが好ましい。
【００２０】
本発明の他の特徴によれば，前記ハブの上面には，円周方向に沿って等間隔に配置された複数のスクリュー締結ホールが形成され，前記クランプには，前記複数のスクリュー締結ホールに対応する複数のスクリュー挿入ホールが形成され，前記クランプは，前記複数のスクリュー締結ホールに締結される複数のスクリューにより，前記ハブに固定される。
【００２１】
その場合，前記ダンパーは，リング状であり，前記複数のスクリューに干渉されない位置に配置されうる。
【００２２】
一方，前記ダンパーは，リング状であり，前記複数のスクリュー締結ホールが形成された位置に配置され，前記ダンパーには，前記複数のスクリュー締結ホールに対応する複数のスクリュー挿入ホールが形成されうる。
【００２３】
また一方，前記ダンパーは，複数に分離されて，前記複数のスクリュー締結ホールのそれぞれの間に配置されうる。
【００２４】
そのような本発明によれば，クランプを介してディスクに伝達される衝撃及び振動が緩和されて，ディスクの振動によるディスクとヘッドとの衝突及びヘッドの性能の低下が防止される。
【００２５】
上記課題を解決するために，本発明の別の観点によれば，一又は二枚以上のディスクをスピンドルモーターに固定するための情報保存装置用ディスククランピング装置が提供される。上記情報保存装置用ディスククランピング装置は，スピンドルモーターと結合可能で，外周部がディスクの上面に接触し，上記ディスクを垂直方向に加圧するクランプと；クランプとスピンドルモーターとの間に配置され，上記クランプを介してディスクに伝達される衝撃及び振動を緩和させるダンパーとを備えることを特徴としている。
【発明の効果】
【００２６】
以上説明したように，本発明によれば，クランプとスピンドルモーターの上面との間にダンパーが設置されることで，クランプを介してディスクに伝達される衝撃及び振動が緩和される。したがって，そのような衝撃及び振動により引き起こされるディスクの振動が低減するため，ディスクの振動によるディスクとヘッドとの衝突，及びヘッドの性能の低下が防止される。また，上記ダンパーにより，スピンドルモーター自体の振動及び騷音も減る。
【発明を実施するための最良の形態】
【００２７】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２８】
図４は，本発明の第１実施形態に係る情報保存装置用ディスククランピング装置を示した分離斜視図であり，図５Ａは，図４に示すクランプが，スピンドルモーターと結合する前の状態を示した部分断面図であり，図５Ｂは，図４に示すクランプが，スピンドルモーターと結合した状態を示す部分断面図である。
【００２９】
まず，図４と図５Ａを共に参照すれば，情報保存装置，例えばＨＤＤには，データ保存媒体である少なくとも一枚のディスク１２０と，そのディスク１２０を回転させるためのスピンドルモーター１３０と，第１の実施の形態に係るディスククランピング装置と，が備えられる。
【００３０】
上記スピンドルモーター１３０としては，多様な構成を有するもの，例えばボール軸受を有するものと，流体動圧軸受を有するものとが使用されうる。そのようなスピンドルモーター１３０は，一般的に，シャフト１３１とシャフト１３１の外周と結合されるハブ１３４とを有する。そして，スピンドルモーター１３０において，前記ハブ１３４が，シャフト１３１と共に回転するように構成されうる。
【００３１】
上記ハブ１３４の外周に，一枚または複数枚のディスク１２０が挟まれる。そして，前記スピンドルモーター１３０に，複数枚のディスク１２０が装着される場合には，それらのディスク１２０の間隔を保持するためのリング状のスペーサ１５０が，前記ハブ１３４の外周に備わる。
【００３２】
第１の実施の形態に係るディスククランピング装置は，前記ディスク１２０を，スピンドルモーター１３０のハブ１３４にかたく固定させるためのものであって，前記スピンドルモーター１３０の上端部と結合する。ディスククランピング装置は，ディスク１２０を垂直方向に加圧するクランプ１６０と，クランプ１６０とスピンドルモーター１３０のハブ１３４の上面との間に設置されるダンパー１８０と，を備える。
【００３３】
クランプ１６０は，スピンドルモーター１３０のシャフト１３１に固定される。そのためにスピンドルモーター１３０のシャフト１３１の中心部には，スクリュー締結ホール１３２が形成され，前記クランプ１６０の中心部には，スクリュー挿入ホール１６２が形成される。したがって，前記クランプ１６０は，前記スクリュー締結ホール１３２に締結されるクランプ締結スクリュー１７０により，前記シャフト１３１に固定されうる。そして，前記クランプ１６０の外周部１６４は，前記ディスク１２０を垂直方向に加圧できるように，前記ディスク１２０の上面に接触される。
【００３４】
そして，前記クランプ１６０は，円盤状であり，断面形状が略ドーム形状であり，更に，中心部がドーム状である。そのような形状のクランプ１６０は，後述するように，その変形による弾性力により，その外周部１６４がディスク１２０を加圧し，押さえつけてハブ１３４に固定させる。そのために，上述した構成を有するクランプ１６０は，所定の弾性を有する金属物質，例えばステンレススチールより製造されうる。
【００３５】
前記ダンパー１８０は，前記クランプ１６０を介して，前記ディスク１２０に伝達される衝撃及び振動を緩和させる役割を行うものであって，前記クランプ１６０とハブ１３４の上面との間に配置される。そのようなダンパー１８０は，優秀な緩衝性を有する粘弾性物質，例えばゴムからなることが好ましい。そして，前記ダンパー１８０は，クランプ１６０の円周方向に沿って均一なダンピング効果が得られるように，リング状であることが好ましい。また，前記ダンパー１８０は，ダンピング効率を最大化できるように，なるべく広い面積を有することが好ましい。例えば，ダンパー１８０はハブ１３４又はクランプ１６０に接する面積が広くなるように幅を最大限広くするのが望ましい。また緩衝性や，ハブ１３４の上面及びクランプ１６０の底面間の密着性を高めるためダンパー１８０の厚みをハブ１３４に設置可能な程度に厚くしてもよい。そのようなダンパー１８０は，前記ハブ１３４の上面に接着剤または両面接着テープなどを使用して接着されうる。一方，前記ダンパー１８０は，前記クランプ１６０の底面に接着されることもあり，前記ハブ１３４の上面とクランプ１６０の底面の両面に接着されることもある。
【００３６】
以下では，前記したような構成を有する本発明の第１実施形態に係るディスククランピング装置の作用を説明する。
【００３７】
まず，図５Ａを参照すれば，前記ダンパー１８０とクランプ１６０とを，スピンドルモーター１３０上部の定められた位置に配置する。それにより，クランプ１６０の外周部１６４が，ディスク１２０の上面に接触される。
【００３８】
次いで，クランプ締結スクリュー１７０を，クランプ１６０のスクリュー挿入ホール１６２を介して，スピンドルモーター１３０のシャフト１３１に形成されたスクリュー締結ホール１３２に締結する。
【００３９】
それにより，図５Ｂに示すように，前記スクリュー１７０の締結力により，前記クランプ１６０が多少平面状に弾性変形されつつ，その時に発生する弾性力により，クランプ１６０の外周部１６４がディスク１２０を垂直方向に加圧し，それにより，ディスク１２０は，ハブ１３４にかたく固定される。その時，前記ダンパー１８０も，クランプ１６０により押さえられて，ハブ１３４の上面とクランプ１６０の底面との間に密着する。
【００４０】
上述したように，クランプ１６０とハブ１３４との間に設置されたダンパー１８０は，ＨＤＤに加えられた衝撃やスピンドルモーター１３０の回転による振動が，スピンドルモーター１３０のシャフト１３１とスクリュー１７０とを介して，クランプ１６０に伝達されることで発生するクランプ１６０の振動を緩和させる。そのように，クランプ１６０の振動がダンパー１８０により緩和されれば，クランプ１６０を介してディスク１２０に伝達される衝撃及び振動によるディスク１２０の振動も減る。したがって，ディスク１２０の振動によるディスク１２０とヘッドとの衝突，及びヘッドの性能の低下が防止される。そして，前記ダンパー１８０により，スピンドルモーター１３０自体の振動及び騷音も減り得る。
【００４１】
図６は，本発明の第２実施形態に係る情報保存装置用ディスククランピング装置を示した分離斜視図であり，図７は，図６に示したクランプが，スピンドルモーターと結合された状態を示した部分断面図である。
【００４２】
図６と図７を共に参照すれば，前記したように，スピンドルモーター２３０は，多様な構成を有しうる。したがって，前記スピンドルモーター２３０において，シャフト２３１は，固設される一方，ハブ２３４は，前記シャフト２３１の外周に回転可能に設置されうる。前記シャフト２３１は，ＨＤＤのカバー部材１１２に固定され得，その場合には，シャフト２３１の中心部に，シャフト固定スクリュー２７２が締結されるスクリュー締結ホール２３６が形成される。前記ハブ２３４の外周には，一枚または複数枚のディスク１２０が挟まれ，更に，ディスク１２０の間隔を保持するためのリング状のスペーサ１５０が，前記ハブ２３４の外周に挟まれる。
【００４３】
本発明の第２実施形態に係るディスククランピング装置は，前記したように構成されたスピンドルモーター２３０に設置できる構造を有する。具体的に，本発明の第２実施形態において，ディスク１２０を垂直方向に加圧するクランプ２６０は，スピンドルモーター２３０のハブ２３４に固定されうる。そのために，スピンドルモーター２３０のハブ２３４の上面には，円周方向に沿って等間隔に配置された複数のスクリュー締結ホール２３２が形成され，前記クランプ２６０には，前記複数のスクリュー締結ホール２３２に対応する複数のスクリュー挿入ホール２６２が形成される。したがって，前記クランプ２６０は，前記複数のスクリュー締結ホール２３２に締結される複数のクランプ締結スクリュー２７０により，前記ハブ２３４に固定されうる。そして，前記クランプ２６０の中心部には，シャフト２３１が挿入される中空部２６１が形成され，その外周部２６４は，前記ディスク１２０を垂直方向に加圧できるように，前記ディスク１２０の上面に接触される。そのようなクランプ２６０の断面形状は，中心部周辺が膨らんだドーム状を有している。またクランプ２６０は，所定の弾性を有する金属物質，例えばステンレススチールより製造されうる。クランプ２６０の作用は，上記説明した第１実施形態と同じであるため，詳細な説明は省略する。
【００４４】
本発明の第２実施形態に係るディスククランピング装置は，前記クランプ２６０とスピンドルモーター２３０のハブ２３４の上面との間に設置されて，クランプ２６０を介してディスク１２０に伝達される衝撃や振動を緩和させるダンパー２８０を備える。具体的に，前記ダンパー２８０は，上述した第１実施形態に係るダンパー１８０のように，粘弾性物質からなり，リング状である。そして，前記ダンパー２８０は，前記ハブ２３４の上面とクランプ２６０の底面のうち，少なくとも一面に接着されうる。
【００４５】
第２実施形態において，ダンパー２８０は，前記複数のクランプ締結スクリュー２７０に干渉されない位置に配置されうる。具体的に，前記ダンパー２８０は，図７に示すように，複数のクランプ締結スクリュー２７０の外側に配置されることもある。一方，前記ダンパー２８０は，複数のクランプ締結スクリュー２７０の内側に配置されることもある。
【００４６】
上述したように設置されたダンパー２８０の作用は，既に説明した第１実施形態とほぼ同じであるため，詳細な説明は省略する。
【００４７】
図８及び図９は，図６に示すダンパーの変形例を示した部分斜視図である。
【００４８】
まず，図８を参照すれば，クランプ２６０とハブ２３４の上面との間に設置されるリング状のダンパー３８０は，複数のスクリュー締結ホール２３２が形成された位置に配置されうる。その場合，ダンパー３８０には，複数のスクリュー締結ホール２３２に対応する位置に，複数のクランプ締結スクリュー２７０が挿入される垂直貫通ホール３８２が形成される。
【００４９】
そして，図９を参照すれば，ハブ２３４の上面に形成された複数のスクリュー締結ホール２３２のそれぞれの間に，所定間隔を空けて，前記クランプ２６０の振動を緩和させるためのダンパー４８０が複数個配置されうる。
【００５０】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００５１】
上記実施形態においては，ＨＤＤの場合を例に挙げて説明したが，本発明は，かかる例に限定されない。例えば，ＨＤＤの他にも，ＯＤＤ等のデータ保存媒体としてディスクを使用する他の情報保存装置にも適用できる。
【００５２】
上記実施形態において，ダンパー１８０の幅を広く又は狭くし，ハブ１３４又はクランプ１６０に接する面積を如何なる大きさにする場合でも実施可能である。
【００５３】
また上記実施形態において，ダンパー１８０の厚みを厚く又は薄くし，緩衝性や，ハブ１３４の上面及びクランプ１６０の底面間の密着性を多様に調整した場合でも実施可能である。
【産業上の利用可能性】
【００５４】
本発明は，ＨＤＤ等に適用可能である。
【図面の簡単な説明】
【００５５】
【図１】従来のＨＤＤの構造を示した分解斜視図である。
【図２】図１のＨＤＤのクランプ部位を拡大して示した斜視図である。
【図３】図２のクランプが，スピンドルモーターと結合された状態を示した断面図である。
【図４】本発明の第１実施形態に係る情報保存装置用ディスククランピング装置を示した分離斜視図である。
【図５Ａ】図４のクランプが，スピンドルモーターと結合される前の状態を示した部分断面図である。
【図５Ｂ】図４のクランプが，スピンドルモーターと結合された状態を示した部分断面図である。
【図６】本発明の第２実施形態に係る情報保存装置用ディスククランピング装置を示した分離斜視図である。
【図７】図６のクランプが，スピンドルモーターと結合された状態を示した部分断面図である。
【図８】図６のダンパーの変形例を示した部分斜視図である。
【図９】図６のダンパーの変形例を示した部分斜視図である。
【符号の説明】
【００５６】
１２０    ディスク
１３０    スピンドルモーター
１３１    シャフト
１３２    スクリュー締結ホール
１３４    ハブ
１５０    スペーサ
１６０    クランプ
１６２    スクリュー挿入ホール
１６４    外周部
１７０    クランプ締結スクリュー
１８０    ダンパー
【図１】
2005235385.tif 000003
【図２】
2005235385.tif 000004
【図３】
2005235385.tif 000005
【図４】
2005235385.tif 000006
【図５Ａ】
2005235385.tif 000007
【図５Ｂ】
2005235385.tif 000008
【図６】
2005235385.tif 000009
【図７】
2005235385.tif 000010
【図８】
2005235385.tif 000011
【図９】
2005235385.tif 000012